(57)【要約】【課題】  ノイズ等の外乱に影響され難くより正確な同期検出及び物理アドレス検出を可能にし得る同期信号検出回路及び物理アドレス検出回路を提供する。【解決手段】  第1のデータ単位の数を第2のデータ単位の周期でカウントした値を出力するカウント手段と、この出力に基づいて前記同期領域の位置に対応した同期窓信号を発生する発生手段と、前記生成手段で生成された同期位相検出信号から前記同期領域の状態を判別して、前記第2のデータ単位の先頭の同期領域を示す同期信号を検出する同期検出手段と、前記生成手段で生成された同期位相検出信号から前記同期領域の状態を判別して、前記アドレス領域の先頭を示す同期信号を検出するアドレス検出手段と、前記発生手段による同期窓信号の発生期間に前記検出手段から出力された検出信号を同期検出信号として出力する出力手段とを具備することを特徴とする同期信号検出回路。【選択図】      図６
2007122757.tif 000002
【特許請求の範囲】
【請求項１】
第1のデータ単位でなる同期領域と前記第1のデータ単位の複数の集合体でなるアドレス領域とを含む第2のデータ単位が繰り返し配列される同期位相検出信号を生成する生成手段と、
前記生成手段で生成された同期位相検出信号を前記第1のデータ単位の周期でカウントした値と、前記第1のデータ単位の数を前記第2のデータ単位の周期でカウントした値とを出力するカウント手段と、
この出力に基づいて前記同期領域の位置に対応した同期窓信号を発生する発生手段と、
前記生成手段で生成された同期位相検出信号から前記同期領域の状態を判別して、前記第2のデータ単位の先頭の同期領域を示す同期信号を検出する同期検出手段と、
前記生成手段で生成された同期位相検出信号から前記同期領域の状態を判別して、前記アドレス領域の先頭を示す同期信号を検出するアドレス検出手段と、
前記発生手段による同期窓信号の発生期間に前記検出手段から出力された検出信号を同期検出信号として出力する出力手段とを
具備することを特徴とする同期信号検出回路。
【請求項２】
前記カウント手段は、
前記生成手段で生成された同期位相検出信号を前記第1のデータ単位の周期でカウントする第1のカウンタと、
前記第1のカウンタの出力に基づいて前記第1のデータ単位の数を前記第2のデータ単位の周期でカウントする第2のカウンタとからなるカウンタ回路であることを特徴とする請求項1記載の同期信号検出回路。
【請求項３】
前記発生手段は、
前記カウント手段の出力に基づいて前記同期領域の位置に対応した同期窓信号を発生する発生回路であることを特徴とする請求項１記載の同期信号検出回路。
【請求項４】
前記発生回路は、前記同期窓信号が複数回連続して前記カウント手段の値に対し同一状態のとき前記カウント手段のカウンタ補正を行うことを特徴とする請求項３記載の同期信号検出回路。
【請求項５】
第1のデータ単位でなる同期領域と前記第1のデータ単位の複数の集合体でなるアドレス領域とを含む第2のデータ単位が繰り返し配列される同期位相検出信号を生成する生成手段と、
前記生成手段で生成された同期位相検出信号を前記第1のデータ単位の周期でカウントした値と、前記第1のデータ単位の数を前記第2のデータ単位の周期でカウントした値とを出力するカウント手段と、
この出力に基づいて、前記同期領域の位置に対応した同期窓信号を発生する発生手段と、
前記生成手段で生成された同期位相検出信号から前記同期領域の状態を判別して、前記第2のデータ単位の先頭の同期領域を示す同期信号を検出する同期検出手段と、
前記生成手段で生成された同期位相検出信号から前記同期領域の状態を判別して、前記アドレス領域の先頭を示す同期信号を検出するアドレス検出手段と、
このアドレス検出手段の検出結果と前記発生手段の発生結果に基づいてアドレス検出窓信号を発生する窓発生手段と、
前記発生手段による同期窓信号の発生期間に前記検出手段から出力された検出信号を同期検出信号として出力する出力手段とを
具備することを特徴とする物理アドレス検出回路。
【請求項６】
前記窓発生手段は、前記アドレス検出窓信号が複数回連続して前記カウント手段の値に対し同一状態のとき前記カウント手段のカウンタ補正を行うことを特徴とする請求項５記載の物理アドレス検出回路。
【発明の詳細な説明】
【技術分野】
【０００１】
本発明は、同期信号検出回路及び物理アドレス検出回路に係り、特に光ディスク装置等に使用される同期信号検出回路及び物理アドレス検出回路に関する。
【背景技術】
【０００２】
周知のように、現在では、デジタル記録媒体としてＤＶＤ(digital versatile disk)等の光ディスクが普及してきており、これらを再生する光ディスク装置においては高い信頼性が望まれている。このような光ディスクにおいては、記憶領域が螺旋状のトラック上に設けられており、そのアドレス情報にトラック番号が含まれている。
【０００３】
ところで、DVDは規格自体も進化しており、ハイビジョン対応の次世代DVD規格も出来上がってきている。次世代DVD規格では、現世代DVD規格よりも記録密度が高まるため再生信号のCN比が低下しがちであり、この再生信号から同期信号やアドレス情報を取り出す際に、相対的にノイズ等の外乱の影響を受けやすくなっている。
【０００４】
よって情報量を落とさないために、デジタル化においては2値化（定性）データは好ましくなく、多値化（定量）データを扱うことが必須に近い要件としてある。
特許文献１には、2値化した1ビットのウォブル信号(32T)を記録周波数1Tでサンプリングし、SYNCパターンの最初の立ち上がりエッジ(32T)でカウンタ(ワードSYNCカウンタ：1Tをカウントアップする)をクリアし、128T後を中心に±y(y：整数)SYNC検出窓を開いて、そのSYNC検出窓内で検出された信号をSYNCとする構成が開示されている。
【０００５】
しかしながら、この特許文献１では、1ビットのウォブル信号を用いているためノイズ等の外乱の影響を受けやすい。また、SYNCパターンの最初の立ち上がりエッジ(32T)が正しく認識できなければカウンタはクリアされず、SYNC検出窓も正しい位置に開くことができないため、SYNC誤検出がたびたび起こる可能性がある。このようにSYNCを誤検出すると、誤検出したSYNCに続く信号を誤って物理アドレスとして認識するため正しい物理アドレスが取得できず、ディスク上の正しい位置が分からなくなって、誤動作の原因となる。
【特許文献１】特開２００３−１２３２５７号公報（第１１頁、図７）
【発明の開示】
【発明が解決しようとする課題】
【０００６】
本発明は、ノイズ等の外乱に影響され難くより正確な同期検出及び物理アドレス検出を可能にし得る同期信号検出回路及び物理アドレス検出回路を提供することを目的とする。
【課題を解決するための手段】
【０００７】
上記課題を解決するために、本発明の同期信号検出回路は、第1のデータ単位でなる同期領域と前記第1のデータ単位の複数の集合体でなるアドレス領域とを含む第2のデータ単位が繰り返し配列される同期位相検出信号を生成する生成手段と、前記生成手段で生成された同期位相検出信号を前記第1のデータ単位の周期でカウントした値と、前記第1のデータ単位の数を前記第2のデータ単位の周期でカウントした値とを出力するカウント手段と、この出力に基づいて、前記同期領域の位置に対応した同期窓信号を発生する発生手段と、前記生成手段で生成された同期位相検出信号から前記同期領域の状態を判別して、前記第2のデータ単位の先頭の同期領域を示す同期信号を検出する同期検出手段と、前記生成手段で生成された同期位相検出信号から前記同期領域の状態を判別して、前記アドレス領域の先頭を示す同期信号を検出するアドレス検出手段と、このアドレス検出手段の検出結果と前記発生手段の発生結果に基づいてアドレス検出窓信号を発生する窓発生手段と、前記発生手段による同期窓信号の発生期間に前記検出手段から出力された検出信号を同期検出信号として出力する出力手段とを具備することを特徴とする。
【０００８】
また物理アドレス検出回路は、第1のデータ単位でなる同期領域と前記第1のデータ単位の複数の集合体でなるアドレス領域とを含む第2のデータ単位が繰り返し配列される同期位相検出信号を生成する生成手段と、前記生成手段で生成された同期位相検出信号を前記第1のデータ単位の周期でカウントした値と、前記第1のデータ単位の数を前記第2のデータ単位の周期でカウントした値とを出力するカウント手段と、この出力に基づいて、前記同期領域の位置に対応した同期窓信号を発生する発生手段と、前記生成手段で生成された同期位相検出信号から前記同期領域の状態を判別して、前記第2のデータ単位の先頭の同期領域を示す同期信号を検出する同期検出手段と、前記生成手段で生成された同期位相検出信号から前記同期領域の状態を判別して、前記アドレス領域の先頭を示す同期信号を検出するアドレス検出手段と、このアドレス検出手段の検出結果と前記発生手段の発生結果に基づいてアドレス検出窓信号を発生する窓発生手段と、前記発生手段による同期窓信号の発生期間に前記検出手段から出力された検出信号を同期検出信号として出力する出力手段とを具備することを特徴とする。
【発明の効果】
【０００９】
本発明によれば、ノイズ等の外乱に影響され難くより正確な同期検出及び物理アドレス検出を可能にし得る同期信号検出回路及び物理アドレス検出回路が得られる。
【発明を実施するための最良の形態】
【００１０】
以下、本発明の実施例を説明する。
【実施例１】
【００１１】
本発明による同期信号検出回路及び物理アドレス検出回路の実施例１を図１乃至図１１を参照して説明する。
図１は、光ディスク記録媒体のアドレッシング方法として、記録トラックをウォブル変調で対応した時の各信号関係を示した図である。蛇行（ウォブル）した記録トラックからデジタルデータを再生していく（または、デジタルデータを記録していく）が、このとき記録されたデータは指定された位置に記録されている。
【００１２】
そして、それを決定した物理アドレス情報は、記録トラックのウォブル信号を読み出して復調することで得られる。図１は、トラック上の読取りビームと検出されたウォブル信号とウォブル変調で情報を埋め込む場合の変調規則とを例示している。ここでは、ウォブル信号のサイン波（ノーマル位相ウォブル：ＮＰＷ）をビット情報“０”とし、反転のサイン波（反転位相ウォブル：ＩＰＷ）を“１”として用いて、アドレス情報が記録されている。
【００１３】
図２は、物理アドレスのデータ構造を全体の関係で例示した図である。物理アドレス情報は、WDU(Wobble Data Unit)１７組（２０〜２２）で構成されたWAP(Wobble Address in Periodic position)と呼ばれる集合体２３〜２５に埋め込まれる。このWAPが連結してトラックウォブルが出来上がるため、WAPで決められる周期が物理アドレスデータの埋めこまれた周期になる。
【００１４】
物理アドレスデータ２４は、３９ビットで構成される。ここで、“セグメント情報（Segment Information）”、“セグメントアドレス（Segment Address）”、“ゾーンアドレス（Zone Address）”、“パリティアドレス（Parity Address）”、“グルーブトラックアドレス（Groove Track Address）”及び“ランドトラックアドレス（Land Track Address）”の情報ビット群２６は３ビットづつに分割され、各WDUに分配されて変調処理によって埋めこまれる。このようにして、ゾーン番号２７、トラック番号２８、セグメント番号２９が格納される。
【００１５】
物理アドレス情報が埋め込まれるWDU５１は３ビットでアドレス情報を構成しており、各１ビットは４ウォブルに対応させている。このため、物理アドレス情報３ビットの前の各WDUの先頭４ウォブルはIPWで構成され、WDUの先頭識別が容易になる構成をとっている。結果として各WDUの物理アドレス情報埋め込み以降６８ウォブルはNPWと規定している。
【００１６】
よって物理アドレスデータ全体は３９ビットであることから、必要なWDU２１は１３ユニットとなり、先頭WDUにはWAPの同期信号２３が配置され、後方側の３ユニットは、無変調のユニット（Unity Field）２５で構成される。
【００１７】
このようなトラックウォブル変調で物理アドレスが埋め込まれた記録トラックには、情報データが記録される。この場合の記録データは、７７３７６バイトのデータに対して、先頭に７１バイトのＶＦＯ（再生動作時、データ復調用チャネルクロックを生成し易いようにするための一定周波数信号）、後方にはデータブロック接続処理を行うための“ＰＡ領域（PA Field）”、“リザーブ領域（Reserved Field）”及び“バッファ領域（Buffer Field）”の計２２バイトが記録される。
【００１８】
トータルで７７４６９バイトが７物理セグメント（Physical segment）（9996ウォブル相当）に記録される。このような約束事で情報データが“Physical segment”アドレスデータを使って指定された場所に記録されることになる。
【００１９】
このため、Physical segmentの正確なアドレスデータ読出しが重要になる。
以上のような構成でトラックウォブルを変調して物理アドレスが記録された記録媒体から、物理アドレスを読み出す場合は、ウォブル信号から同期信号を検出し、この同期信号に応じたタイミング信号を生成させ、このタイミング信号に応じて、アドレス情報をウォブル信号から抜き出し復調して、物理アドレス情報を得る。
【００２０】
図３は、光ディスク記録媒体の記録トラックがランド／グルーブ共に使われる構造に対する、物理アドレス情報のレイアウトを例示した図である。この例では、ウォブル変調によるアドレッシングは、グルーブトラックで行うため、ランドトラックに対する記録再生でも正しいアドレッシングが構成されていなければならない。
【００２１】
そこでゾーン方式という構造が採用され、光ディスク記録媒体をラジアル方向で複数ゾーンに分割し、各ゾーン内は記録容量が一定のセグメントパケットを構成し、そこに物理アドレス情報である“ゾーン番号”“トラック番号”“セグメント番号”がグルーブトラックのウォブル変調で埋め込まれる。
【００２２】
ゾーンが変わると、記録密度が略等しい単位でセグメントを構成するように分割角度を変更して、記録容量を最適化している。図３のような構成にすると、ランド／グルーブ方式でも、グルーブウォブルによるアドレス情報は、トラック番号を除けば隣接トラック間では同じ値になり、ランドトラックでも物理アドレス情報が読み出せるようになる。トラック番号は、ランド用とグルーブ用とを配置することによりランドでもグルーブでも情報が得られるように構成されるため、問題は生じない。
【００２３】
図４は、ウォブル回路全体のブロック図である。本ブロックは、大きく、ウォブルPLL回路４１、SYNC検出回路４２、アドレス検出回路４３、及びカウンタ回路４４の4つのブロックに分けられる。
【００２４】
ここで、ウォブルPLL回路４１は、ウォブル信号をデジタル化するAD回路４５
と、その出カを積分する積分回路(S1N同期位相検出回路)４６と、その出力をアナ
ログ化するD/A回路４７と、D/A回路４７からの信号レベルに基づいて周期が制御される発振信号をA/D回路４５に供給するVCO回路４８とを有している。
ウォブルPLL回路４１では、ウォブル入力信号とSIN波との積分演算が行われ、次の図５のようなSIN同期位相検出信号が作られる。SIN同期位相信号は、IPW部分は“＋”値、NPWは“−”値で出力されるものとしている。このSIN同期位相検出信号から、SYNCパターンの検出及び物理アドレスパターンの検出が行われる。
【００２５】
図3のウォブル回路全体は、ウォブルPLL回路４１、SYNC検出回路４２、アドレス検出回路４３、及びカウンタ回路４４の他に、検出窓発生回路４９、物理アドレス保持部５０を含んで構成されている。
【００２６】
図５は、SYNC検出フラグが立っていない状態(最初のSYNC検出)でのSYNC検出によるカウンタ補正タイミングである。WDU周期カウンタは、本願と同じ発明者の発明であって、本願と同じ出願人によって出願された特願2004-380500の方法を用いたカウンタ補正を行っており、SYNCパターンの先頭を“0”とするようなカウンタ補正(補正箇所を“19”にすることで対応)を行い、SYNCとカウンタの同期を取っている。セグメント周期カウンタは、SYNC領域が“WDU0”ということで“0”に補正する。
【００２７】
SYNC検出部は、図６に示す回路でシフトレジスタ６０、パターン演算６１、比較判定６２に相当し、所定のSYNCパターン位置(図２のWAP“0”番目)の84ウォブル信号の内、SYNCパターン特有の部分であるIPW 6ウォブル＋NPW 4ウォブル＋IPW 6ウォブル部分を検出する回路である。最初にSIN同期位相検出信号をシフトレジスタ部でシフト処理し、シフト処理した信号の符号変化点(IPW→NPW／NPW→IPW：エッジ検出)の差分演算、及びエッジ変化点以外での信号の符号比較による状態の安定(符号一致)検出を行う。比較判定部では、エッジ検出値が閾値以上であり、かつ状態がSYNCと一致していると検出できた場合に同期信号検出として信号出力される。一度SYNC検出されるとSYNC検出フラグを立て、以降のSYNC検出は後述するカウンタに基づき、SYNC検出を行う。このSYNC検出法(カウンタ補正法)は、特願2004-380500に開示されている方法を用いる。その際SYNC検出による各種周期カウンタのカウンタ補正が必要な場合には、カウンタ補正を行う(図５参照)。特願2004-380500においては、入力を複数ビットとし、SYNCの周期カウンタ(Wobble１周期をカウントアップ)値により所定の位置で±n×Wobble周期(n：整数)のSYNC検出窓を開く。SYNCパターン検出によりSYNC検出窓内に確かなSYNCが検出され、検出されたSYNC位置がSYNC周期カウンタの本来のSYNC検出位置からずれていた場合のみ、SYNC周期カウンタに補正をかけることにより、SYNC以降の物理アドレス及び次のSYNCを正しい位置で検出する方法を提供している。
【００２８】
２連続の検出位置比較部６７は、Gate/カウンタ補正値/SYNC検出フラグ生成部６５で検出されたSYNCのSYNC検出位置(WDU周期カウンタ値)を保持し、連続で検出されたSYNCによりそのSYNC検出位置を比較し、一致した場合にカウンタ補正を許可している。
【００２９】
カウンタ部は、図６に示すカウンタ回路でWDU周期カウンタ６３とセグメント周期カウンタ６４に相当し、Wobble PLL部で生成されたクロックで、図３に示す規格に沿ってWDU、WAP(Physical Segment)単位のタイミング生成を行っている。WDU周期カウンタは、1WDU周期(84ウォブル)をカウンタでカウントとしている。セグメント周期カウンタは、1WAP周期をカウントするカウンタで、WDU周期カウンタの桁上がりをカウント(17WDU)している。
【００３０】
図７は、SYNC検出フラグが立っている状態(1度以上SYNC検出された状態)での物理規格で定められた周期を持ったSYNC検出によるカウンタ補正タイミングである。WDU周期カウンタは、特願2004-380500では、SYNC検出窓内の3点でSYNC検出された場合にSYNC検出できたとして、SYNCパターンの先頭を“0”とするようなカウンタ補正を行うが、例えば毎回のSYNC検出において、SYNC検出窓内で検出位置が異なる場合、物理規格で定められた周期が守られていないということになる。そこでSYNC検出窓内の検出位置を把握(保持)し、連続同じ位置だった場合にカウンタ補正を行うことにより、より信頼性の高いSYNC検出ができ、かつそのSYNCによりカウンタ補正を行うため、より信頼性の高いカウンタ補正(SYNCパターンの先頭を“0”とする)が行える。図７では、SYNC検出フラグが立っている状態での最初のSYNC検出によるカウンタ補正は行わず、SYNC検出位置を保持(WDU周期カウンタ＝17)している。次のSYNC検出においてSYNC検出位置がWDU周期カウンタ＝17だったため、物理規格で定められた周期を持ったSYNC検出が行えたので、SYNCパターンの先頭を“0”とするカウンタ補正(カウンタが1ウォブル遅れているので、補正箇所を“21”(カウンタを1ウォブル早くする)にすることで対応)している。
【００３１】
図８は、図７と同様、SYNC検出フラグが立っている状態(1度以上SYNC検出された状態)での物理規格で定められた周期を持ったSYNC検出によるカウンタ補正タイミングである。図８では、SYNC検出フラグが立っている状態での最初のSYNC検出ではカウンタ補正は行わず、SYNC検出位置を保持(WDU周期カウンタ＝19)している。次のSYNC検出においてSYNC検出位置がWDU周期カウンタ＝17だったため、物理規格で定められた周期でのSYNC検出が行えなかったので、SYNCパターンの先頭を“0”とするカウンタ補正を行わない。
【００３２】
ただしSYNC検出はできたので、SYNCに続く物理アドレスは検出し、前に取得した物理アドレスとの比較(一致またはインクリメント)を行うことで、物理アドレス自身の信頼性確認は行う。
【００３３】
図９は、図７と同様、SYNC検出フラグが立っている状態(1度以上SYNC検出された状態)で、SYNCの2連続同じ位置検出を行っている時に、WDU先頭検出によるカウンタ補正が行われた場合のタイミングである。WDU先頭検出及びWDU先頭検出によるカウンタ補正は、特願2004-380500の方法を用いて行わるものとする。図９では、SYNC検出フラグが立っている状態での最初のSYNC検出ではカウンタ補正は行わず、SYNC検出位置を保持(WDU周期カウンタ＝17)している。次のSYNC検出を行う前にWDU先頭検出を行ったので、WDU先頭検出によりWDU先頭パターンを“0”とするカウンタ補正(カウンタが1ウォブル早いので、補正箇所を“5”(カウンタを1ウォブル遅くする)にすることで対応)している。従って次のSYNC検出を行った際、すでにカウンタ位置がSYNCパターンの先頭を“0”とするカウンタ補正により、SYNC検出位置が(WDU周期カウンタ＝18)となり2度同じ位置のSYNC検出によるカウンタ補正が行えない。
【００３４】
SYNCの2度同じ位置検出中にWDU先頭検出によるカウンタ補正が行われた場合、WDU先頭はセグメント周期カウンタ＝1〜13の13箇所あり、各WDUでのカウンタ補正に注意する必要(対処が複雑になるので)があるため、SYNCの2度同じ位置検出中にはWDU先頭検出は無効にするということも選択肢の1つである。
【００３５】
図１０は、図９と同様、SYNC検出フラグが立っている状態(1度以上SYNC検出された状態)で、SYNCの2連続同じ位置検出を行っている時に、WDU先頭検出によるカウンタ補正が行われた場合のタイミングである。図１０では、最初のSYNC検出後のWDU先頭検出によるカウンタ補正の後、ウォブルのbitスリップなどによりSYNCパターンの先頭が“0”ではなく、前回のSYNC検出位置と全く一致した場合のタイミングである。この時は、SYNC検出位置が2度連続で同じ位置と判断できるので、SYNCパターンの先頭を“0”とするカウンタ補正が行われる。
【００３６】
この場合、図９とは異なり結果としてカウンタ補正を行うことができるが、SYNCの2度同じ位置検出中にWDU先頭検出に対するカウンタ補正が行われたのであり、WDU先頭はセグメント周期カウンタ＝1〜13の13箇所あり、各WDUでのカウンタ補正に注意する必要(対処が複雑になるので)があるため、SYNCの2度同じ位置検出中にはWDU先頭検出は無効にするということも選択肢の1つである。特に図１０の場合は、2度のSYNC検出を行う間に少なくとも1回以上ウォブルのbitスリップなどが起こっているため、ウォブルのbitスリップ毎にカウンタ補正を行い、そのカウンタにより物理アドレスを検出する場合にカウンタ補正毎に検出位置が前後する場合があるので(図１０の例では、物理アドレス領域ではなくUnity領域でのウォブルのbitスリップなので物理アドレスに影響はない)、よりSYNCの2度同じ位置検出中にはWDU先頭検出は無効にする方が良い。
【００３７】
物理アドレス領域先頭検出部及び物理アドレス保持部は、図１１に示す回路で所定の物理アドレス位置(図３のWAP“1”〜“13”番目)の各84ウォブル中に、物理アドレス領域先頭パターン特有の部分であるIPW 4ウォブル部分を正しく検出し、以後に続く物理アドレスを検出する回路である。物理アドレス先頭検出６８(WDU先頭検出)は、SYNCと同様、信号の状態検出(符号一致)とエッジ検出値が閾値以上だった場合に検出できたとする。物理アドレス先頭(IPW4ウォブル)に続く各4ウォブルを加算演算し、その符号を保持することにより物理アドレスを検出する。この物理アドレス先頭検出法(カウンタ補正法)は、SYNCと同様に、特願2004-380500を用いる。
【００３８】
以上主に図７〜図１０に述べたように、SYNC検出窓内で検出されたSYNCのカウンタ上の位置が2回連続同じ位置の場合にカウンタ補正をする。
特願2004-380500のSYNC検出、WDU先頭検出を信頼性向上のため2連続(または、複数回)同じ位置での検出を行い、より信頼性の高い検出によるカウンタ補正を行う回路である。
【００３９】
この補正によりSYNC、WDU先頭パターンがより信頼性が高くカウンタに同期しているので、そのカウンタにより検出する物理アドレスもまた信頼性が向上する。
本例では、SYNC検出窓内のSYNC検出位置が2連続同じ位置(連続同じ位置での検出回数は何度でもOK)であったことで、物理規格で規定された周期を満たしたSYNC検出によるカウンタ補正を行うことができ、入力信号と各周期カウンタが正確に一致させることが可能である。よって、そのカウンタ位置から検出された物理アドレスは、より信頼性の高いアドレスであると言える。
【実施例２】
【００４０】
本発明による同期信号検出回路及び物理アドレス検出回路の実施例２を図１乃至図１４を参照して説明する。実施例１と共通する部分は説明を省略する。
図１１は、カウンタ方式及びSYNCパターン検出を用いたSYNC検出の変形例として、物理アドレス先頭検出(WDU先頭検出)を行うブロック図の例である。所定のWDU先頭パターン位置(図３のWAP“1〜13”番目)の84ウォブル信号の内、WDU先頭パターン特有の部分であるIPW 4ウォブル部分を検出する回路である。最初にSIN同期位相検出信号をシフトレジスタ部６０でシフト処理し、シフト処理した信号の符号変化点(NPW→IPW：エッジ検出)の差分演算、及びエッジ変化点以外での信号の符号比較による状態の安定(符号一致)検出を行う。比較判定部６８では、エッジ検出値が閾値以上であり、かつ状態がWDU先頭と一致していると検出できた場合にWDU先頭信号検出として信号出力される。このWDU先頭検出法(カウンタ補正法)は、特願2004-380500を用いる。その際WDU先頭検出による各種カウンタのカウンタ補正が必要な場合には、カウンタ補正を行う(図１２参照)。
【００４１】
２連続の検出位置比較部７０は、Gate/カウンタ補正値６９で検出されたWDU先頭のWDU先頭検出位置(WDU周期カウンタ値)を保持し、連続で検出されたWDU先頭でそのWDU先頭検出位置を比較し、一致した場合にカウンタ補正を許可している。
【００４２】
図１２は、SYNC検出フラグが立っている状態(1度以上SYNC検出された状態)での物理規格で定められた周期を持ったWDU先頭検出によるカウンタ補正タイミングである。WDU周期カウンタは、SYNC検出の場合と同様、特願2004-380500では、WDU先頭検出窓内の3点でWDU先頭検出された場合にWDU先頭検出できたとして、WDU先頭パターンの先頭を“0”とするようなカウンタ補正を行うが、例えば毎回のWDU先頭検出において、WDU先頭検出窓内で検出位置が異なる場合、物理規格で定められた周期が守られていないということになる。そこでWDU先頭検出窓内の検出位置を把握(保持)し、連続同じ位置だった場合にカウンタ補正を行うことにより、より信頼性の高いWDU先頭検出ができ、かつそのWDU先頭によりカウンタ補正を行うため、より信頼性の高いカウンタ補正(WDU先頭パターンの先頭を“0”とする)が行える。図１２では、SYNC検出フラグが立っている状態での最初のWDU先頭検出時にはカウンタ補正を行わず、WDU先頭検出位置を保持(WDU周期カウンタ＝1)している。次のWDU先頭検出においてWDU先頭検出位置がWDU周期カウンタ＝1だったため、物理規格で定められた周期を持ったWDU先頭検出が行えたので、WDU先頭パターンの先頭を“0”とするカウンタ補正(カウンタが1ウォブル遅れているので、補正箇所を“5”(カウンタを1ウォブル早くする)にすることで対応)している。
【００４３】
図１３は、SYNC検出フラグが立っている状態(1度以上SYNC検出された状態)で、SYNCの2連続同じ位置検出を行っている時に、WDU先頭の2連続同じ位置検出によるカウンタ補正が行われた場合のタイミングである。図１３では、SYNC検出フラグが立っている状態での最初のSYNC検出ではカウンタ補正は行わず、SYNC検出位置を保持(WDU周期カウンタ＝17)している。次のSYNC検出を行う前にWDU先頭の2連続同じ位置検出を行っており、2度目同じ位置でWDU先頭検出(検出位置：WDU周期カウンタ＝1)がされたためWDU先頭パターンを“0”とするカウンタ補正(カウンタが1ウォブル早いので、補正箇所を“5”(カウンタを1ウォブル遅くする)にすることで対応)している。従って次のSYNC検出を行った際、すでにカウンタ位置がSYNCパターンの先頭を“0”とするカウンタ補正により、SYNC検出位置が(WDU周期カウンタ＝18)となり2度同じ位置のSYNC検出によるカウンタ補正が行えない。
【００４４】
図９と同様、SYNCの2度同じ位置検出中にWDU先頭検出によるカウンタ補正が行われた場合、WDU先頭はセグメント周期カウンタ＝1〜13の13箇所あり、各WDUでのカウンタ補正に注意する必要(対処が複雑になるので)があるため、SYNCの2度同じ位置検出中にはWDU先頭検出は無効にするということも選択肢の1つである。
【００４５】
図１４は、SYNC検出フラグが立っている状態(1度以上SYNC検出された状態)で、SYNCの2連続同じ位置検出を行っている時に、WDU先頭の2連続同じ位置検出が行われた場合のタイミングである。図１４では、最初のSYNC検出後にウォブルのbitスリップなどによりWDU先頭検出の2連続同じ位置によるカウンタ補正ができなかったので、前回のSYNC検出位置と全く一致した場合のタイミングである。この時は、SYNC検出位置が2度連続で同じ位置と判断できるので、SYNCパターンの先頭を“0”とするカウンタ補正が行われる。
【００４６】
この場合、図１３とは異なり結果としてカウンタ補正を行うことができるが、同様にSYNCの2度同じ位置検出中に2連続同じ位置のWDU先頭検出に対するカウンタ補正が行われた場合、WDU先頭はセグメント周期カウンタ＝1〜13の13箇所あり、各WDUでのカウンタ補正に注意する必要(対処が複雑になるので)があるため、SYNCの2度同じ位置検出中にはWDU先頭検出は無効にするということも選択肢の1つである。特に図１４の場合は、2度のSYNC検出を行う間に少なくとも1回以上ウォブルのbitスリップなどが起こっているため、ウォブルのbitスリップ毎にカウンタ補正を行い、そのカウンタにより物理アドレスを検出する場合にカウンタ補正毎に検出位置が前後するので、SYNCの2度同じ位置検出中にはWDU先頭検出は無効にする方が良い。
【００４７】
以上主に図１２〜図１４に述べたように、WDU先頭検出窓内で検出されたWDU先頭のカウンタ上の位置が2回連続同じ位置の場合にカウンタ補正をする。
【図面の簡単な説明】
【００４８】
【図１】本発明による同期信号検出回路及び物理アドレス検出回路の実施例１の信号読取り時の信号波形図。
【図２】同期信号検出回路及び物理アドレス検出回路の実施例１の物理アドレス構造図。
【図３】同期信号検出回路及び物理アドレス検出回路の実施例１の記録トラックレイアウト例。
【図４】同期信号検出回路及び物理アドレス検出回路の実施例１のウォブル回路全体のブロック。
【図５】同期信号検出回路及び物理アドレス検出回路の実施例１のSYNC検出フラグ立っていない場合のSYNC検出によるカウンタ補正タイミング図
【図６】同期信号検出回路及び物理アドレス検出回路の実施例１のウォブル回路全体のブロック図。
【図７】同期信号検出回路及び物理アドレス検出回路の実施例１の2連続同じ位置でのSYNC検出によるカウンタ補正タイミング図。
【図８】同期信号検出回路及び物理アドレス検出回路の実施例１の2連続同じ位置ではないSYNC検出でカウンタ補正されないタイミング図。
【図９】同期信号検出回路及び物理アドレス検出回路の実施例１の2連続同じ位置でのSYNC検出によるカウンタ補正と通常のWDU先頭検出によるカウンタ補正を組み合わせたタイミング図(1)
【図１０】同期信号検出回路及び物理アドレス検出回路の実施例１の2連続同じ位置でのSYNC検出によるカウンタ補正と通常のWDU先頭検出によるカウンタ補正を組み合わせたタイミング図(2)
【図１１】同期信号検出回路及び物理アドレス検出回路の実施例１、２のWDU先頭検出、物理アドレス検出回路及びカウンタ補正回路のブロック図
【図１２】同期信号検出回路及び物理アドレス検出回路の実施例２の2連続同じ位置でのWDU先頭検出によるカウンタ補正のタイミング図
【図１３】同期信号検出回路及び物理アドレス検出回路の実施例２のSYNC検出とWDU先頭検出の2連続同じ位置検出を組み合わせたタイミング図(1)
【図１４】同期信号検出回路及び物理アドレス検出回路の実施例２のSYNC検出とWDU先頭検出の2連続同じ位置検出を組み合わせたタイミング図(2)
【符号の説明】
【００４９】
41…ウォブルPLL回路、42…SYNC検出回路、43…物理アドレス領域先頭検出回路、50…物理アドレス保持部、60…シフトレジスタ、61…パターン演算部、62…比較判定部、63…WDU周期カウンタ、64…Segment周期カウンタ、65…Gate/カウンタ補正値/SYNC検出フラグ生成部、66…SYNC検出窓生成部、67…２連続の検出位置比較部、68…比較判定部、69…Gate/カウンタ補正値、70…２連続の検出位置比較部、71…物理アドレス先頭検出窓生成部。
【図１】
2007122757.tif 000003
【図２】
2007122757.tif 000004
【図３】
2007122757.tif 000005
【図４】
2007122757.tif 000006
【図５】
2007122757.tif 000007
【図６】
2007122757.tif 000008
【図７】
2007122757.tif 000009
【図８】
2007122757.tif 000010
【図９】
2007122757.tif 000011
【図１０】
2007122757.tif 000012
【図１１】
2007122757.tif 000013
【図１２】
2007122757.tif 000014
【図１３】
2007122757.tif 000015
【図１４】
2007122757.tif 000016